(57)【特許請求の範囲】
【請求項１】
内部が空き、上方が開放されているハウジング（１０）と;
前記ハウジング（１０）の内部底面に設けられたエアファン（２０）と;
前記エアファン（２０）の上方であるハウジング（１０）の開放されている上方に設けられるフィルター（３０）と;及び
前記フィルター（３０）の上面に密着されてハウジングの上方を覆い、表面にエア吐出孔（４１）が設けられたカバー（４０）と;
を含んで成るエア供給装置であって、
前記エアファン（２０）は、ハウジング（１０）の長手方向に沿って一定間隔を置いて複数個が設けられ、これら各々のエアファン（２０）を区画させるためにエアファン（２０）の間のハウジング（１０）の内部に複数のエア区画部（５０）、（６０）が設けられ、
前記エア区画部（５０）が設けられるハウジング（１０）の一側壁面に貫通孔（１１）が設けられ、
前記エア区画部（５０）は、 ハウジング（１０）の該当内部空間を区画する区画板（５１）と、この区画板（５１）の一端部に連結され、前記貫通孔（１１）の外部に露出されてハウジング（１０）の外側壁面に密着された状態で別の締結具によりハウジング（１０）に固定される固定板（５３）から成ることを特徴とする、
板ガラスの浮上搬送装置のためのエア供給装置。
【請求項２】
前記エア区画部（５０）が除去された状態のハウジング（１０）の貫通孔（１１）を密閉させるための別の密閉板（５５）がさらに備えることを特徴とする請求項１に記載のエア供給装置。
【請求項３】
内部が空き、上方が開放されているハウジング（１０）と;
前記ハウジング（１０）の内部底面に設けられたエアファン（２０）と;
前記エアファン（２０）の上方であるハウジング（１０）の開放されている上方に設けられるフィルター（３０）と;及び
前記フィルター（３０）の上面に密着されてハウジングの上方を覆い、表面にエア吐出孔（４１）が設けられたカバー（４０）と;
を含んで成るエア供給装置であって、
前記エアファン（２０）は、ハウジング（１０）の長手方向に沿って一定間隔を置いて複数個が設けられ、これら各々のエアファン（２０）を区画させるためにエアファン（２０）の間のハウジング（１０）の内部に複数のエア区画部（５０）、（６０）が設けられ、
前記エア区画部（６０）は、
前記ハウジング（１０）の該当内部空間を区画する区画板（６１）と;
前記区画板（６１）の上下方向の中央部に設けられ、その両端部がハウジング（１０）の両側壁を貫通する回転軸（６２）と;及び
前記ハウジング（１０）の外部に露出された回転軸（６２）の両端部に結合され、回転操作により前記区画板（６１）を軸回転させて区画されているハウジング（１０）の両側空間部を連通させるノブ（６３）と;
を含んで成ることを特徴とする板ガラスの浮上搬送装置のためのエア供給装置。
【請求項４】
前記エアファン（２０）とフィルター（３０）との間のハウジング（１０）の内部空間にエアファン（２０）から発生されるエアがフィルター（３０）へ吐出または吐出遮断されるように調節するためのエア吐出調節部（７０）をさらに備えることを特徴とする請求項３に記載のエア供給装置。
【請求項５】
前記エア吐出調節部（７０）は、
前記エアファン（２０）とフィルター（３０）との間のハウジング（１０）の該当内部空間を区画するためにハウジング（１０）の長手方向に沿って連続配置される複数の補助区画板（７１）と;
前記各補助区画板（７１）の上下方向の中央部に設けられ、その両端部がハウジング（１０）の両側壁を貫通する回転軸（７２）と;及び
前記ハウジング（１０）の外部に露出された回転軸（７２）の両端部に結合され、回転操作により前記それぞれの補助区画板（７１）を軸回転させて区画されているハウジング（１０）のエアファン（２０）とフィルター（３０）との間の空間部を連通させるノブ（７３）と;
を含んで成ることを特徴とする請求項４に記載のエア供給装置。
【請求項６】
内部が空き、上方が開放されているハウジング（１０）と;
前記ハウジング（１０）の内部底面に設けられたエアファン（２０）と;
前記エアファン（２０）の上方であるハウジング（１０）の開放されている上方に設けられるフィルター（３０）と;及び
前記フィルター（３０）の上面に密着されてハウジングの上方を覆い、表面にエア吐出孔（４１）が設けられたカバー（４０）と;
を含んで成るエア供給装置であって、
前記エアファン（２０）とフィルター（３０）との間のハウジング（１０）の内部空間にエアファン（２０）から発生されるエアがフィルター（３０）へ吐出または吐出遮断されるように調節するためのエア吐出調節部（７０）をさらに備え、
前記エア吐出調節部（７０）は、
前記エアファン（２０）とフィルター（３０）との間のハウジング（１０）の該当内部空間を区画するためにハウジング（１０）の長手方向に沿って連続配置される複数の補助区画板（７１）と;
前記各補助区画板（７１）の上下方向の中央部に設けられ、その両端部がハウジング（１０）の両側壁を貫通する回転軸（７２）と;及び
前記ハウジング（１０）の外部に露出された回転軸（７２）の両端部に結合され、回転操作により前記各々の補助区画板（７１）を軸回転させて区画されているハウジング（１０）のエアファン（２０）とフィルター（３０）との間の空間部を連通させるノブ（７３）と;
を含んで成ることを特徴とする板ガラスの浮上搬送装置のためのエア供給装置。
【請求項７】
前記エアファン（２０）を覆ってエアファン（２０）自体のエア発生量を調節するためのエア発生調節部（８０）をさらに備えることを特徴とする請求項６に記載のエア供給装置。
【請求項８】
前記エア発生調節部（８０）は、
前記エアファン（２０）の外部を覆い、上方が開放された開放孔（８１a）を有する補助ハウジング（８１）と;
前記補助ハウジング（８１）の開放孔（８１a）を遮断してこの補助ハウジング（８１）の内部と外部空間を区画するための開閉板（８２）と;
前記開閉板（８２）の中央部に配置され、その両端部が補助ハウジング（８１）の両側壁を貫通する回転軸（８３）と;及び
前記補助ハウジング（８１）の外部に露出された回転軸（８３）の両端部に結合され、回転操作により前記開閉板（８２）を軸回転させて遮断されている補助ハウジング（８１）内部のエアファン（２０）と外部の空間部を連通させるノブ（８４）と;
を含んで成ることを特徴とする請求項７に記載のエア供給装置。
【請求項９】
前記開閉板（８２）は、開放孔（８１a）の幅方向に沿って連続配置され、各々個別的に回転操作されてハウジング（１０）の幅方向に対するエア発生量を調節することができるように複数個が設けられたことを特徴とする請求項８に記載のエア供給装置。
【発明の詳細な説明】
【技術分野】
【０００１】
本発明は、エア供給装置に関し、より詳しくはハウジングの内部空間にエアを供給する装置に関する。
【背景技術】
【０００２】
従来、LCDやPDP等に用いられる薄板形板ガラスの不良可否を検査するための検査装備上で、板ガラスを検査部側に搬送させるとか、または、他の工程ラインに搬送させるために使用される搬送装置であって、作業台上に一定間隔を置いて配置される複数個の回転軸上に板ガラスの底面を支持し、搬送させるための複数の搬送ローラーが軸結合されるローラー搬送装置が使用されていた。
【０００３】
しかしながら、このような搬送ローラーを用いた板ガラス搬送装置は基本的に板ガラスと搬送ローラーの外周面が互いに接触された後に、板ガラスが搬送されるので、基本的に接触摩擦による揺るぎや振動等のような微細な震え現象は完全に防止しなく、このような震えにより板ガラスの検査際に不良率を正確に測定することができなくなって、検査の精密度が低下される等の問題があった。
【０００４】
このような問題を解決するために、一例で、作業台の中央部に板ガラスをエア浮上させるためのエア浮上部が設けられ、作業台の幅方向両側には板ガラスの両側端部を支えて搬送させる搬送ローラー部が設けられて板ガラスを一定高さにエア浮上させた状態で所望方向に搬送させるようにする搬送装置が提示された。
【発明の概要】
【発明が解決しようとする課題】
【０００５】
しかしながら、このような従来技術の板ガラス搬送装置は作業台の中央部に配置されているエア浮上部のエア吐出の強さにより板ガラスを浮上させる方式であって、特に、吐出されるエアは板ガラスの中央だけにほとんど集中されるので、板ガラスの中央部は盛り上がり、ローラー搬送部側の板ガラスの両側部がへこむ、いわゆる満腹現状が発生されて基本的に板ガラスの搬送がきちんとならなく、さらに板ガラスの損傷が発生される恐れがあり、また、エア吐出が上方に向かって一律的に発生されるので、全般的に板ガラスの微細な下がり等、所望部分に対する集中的なエア供給等のエア制御は全く不可能になるという問題があった。
【０００６】
本発明は、このような問題を解決するために案出されたものであって、ハウジングの内部空間を長手方向に対して多くの空間に区画するエア区画部と、エアファンとフィルターとの間を区画するエア吐出調節部及びエアファン自体のエア発生量をハウジングの幅方向に対して調節するエア発生調節部を備えて、各区画空間ごとにエアが発生されるようにし、発生されたエアは各区画空間別にならして上向吐出されるようにするとか、または、特定区画空間からのエア吐出を遮断させることの代わりに隣接する他の区画空間にエア量を増加させて吐出させるようにすることができ、また、ハウジングの幅方向に対するエア発生方向を調節できるようにすることによって、一例で、板ガラス搬送装置の場合、カバーの上方に位置し水平方向に沿って搬送される薄い平板プレート構造の板ガラスの所望部分に対してエア供給が調節自在になって、搬送中の板ガラスに対する平坦度を一定に維持することができるようにし、これにより、正確且つ安定的な板ガラスの搬送が可能になるようにするエア供給装置を提供することが目的である。
【課題を解決するための手段】
【０００７】
このような上記の目的を達成するための本発明のエア供給装置は、内部が空き、上方が開放されたハウジング;前記ハウジングの内部底面に設けられるエアファン;前記エアファンの上方のハウジングの開放された上方に配置されるフィルター;及び前記フィルターの上面に密着されてハウジングの上方を覆い、表面にエア吐出孔が形成されたカバーを含んで成る。
【０００８】
また、本発明によるエア供給装置において、前記エアフェアンは、ハウジングの長手方向に沿って一定の間隔を置いて複数個が設けられ、これらのそれぞれのエアファンを区画させるために各エアファンの間のハウジング内部に複数のエア区画部が設けられたことが好ましい。
【０００９】
また、本発明によるエア供給装置において、前記エア区画部が設けられるハウジングの一側壁面に貫通孔が設けられ、前記エア区画部は、ハウジングの該当内部空間を区画する区画板と、この区画板の一端部に連結され、前記貫通孔の外部に露出されてハウジングの外側壁面に密着された状態で別の締結具によってハウジングに固定される固定板から成ることが好ましい。
【００１０】
また、本発明によるエア供給装置において、前記エア区画部が除去された状態のハウジングの貫通孔を密閉させるための別の密閉板がさらに備えることが好ましい。
【００１１】
また、本発明によるエア供給装置において、前記エア区画部は、前記ハウジングの該当内部空間を区画する区画板;前記区画板の上下方向の中央部に配置され、その両端部がハウジングの両側壁を貫通する回転軸;及び前記ハウジングの外部に露出された回転軸の両端部に結合され、回転操作により前記区画板を軸回転させて区画されているハウジングの両側空間部を連通させるノブを含んで成ることが好ましい。
【００１２】
また、本発明によるエア供給装置において、前記エアファンとフィルターとの間のハウジングの内部空間にエアファンから発生されるエアがフィルターへ吐出及び吐出遮断されるように調節するためのエア吐出調節部がさらに備えることが好ましい。
【００１３】
また、本発明によるエア供給装置において、前記エア吐出調節部は、前記エアファンとフィルターとの間のハウジングの該当内部空間を区画するためにハウジングの長手方向に沿って連続配置される複数の補助区画板;前記各補助区画板の上下方向の中央部に配置され、その両端部がハウジングの両側壁を貫通する回転軸;及び前記ハウジングの外部に露出された回転軸の両端部に結合され、回転操作により前記各々の補助区画板を軸回転させて区画されているハウジングのエアファンとフィルターとの間の空間部を連通させるノブを含んで成ることが好ましい。
【００１４】
また、本発明によるエア供給装置において、前記エアファンとフィルターとの間のハウジングの内部空間にエアファンから発生されるエアがフィルターに吐出及び 吐出遮断されるように調節するためのエア吐出調節部がさらに備えることが好ましい。
【００１５】
また、本発明によるエア供給装置において、前記エア吐出調節部は、前記エアファンとフィルターとの間のハウジングの該当内部空間を区画するためにハウジングの長手方向に沿って連続配置される複数の補助区画板;前記各補助区画板の上下方向の中央部に配置され、その両端部がハウジングの両側壁を貫通する回転軸;及び前記ハウジングの外部に露出された回転軸の両端部に結合され、回転操作により前記各々の補助区画板を軸回転させて区画されているハウジングのエアファンとフィルターとの間の空間部を連通させるノブを含んで成ることが好ましい。
【００１６】
また、本発明によるエア供給装置において、前記エアファンを覆って、エアファン自体のエア発生量を調節するためのエア発生調節部がさらに備えることが好ましい。
【００１７】
また、本発明によるエア供給装置において、前記エア発生調節部は、前記エアファンの外部を覆い、上方が開放された開放孔を有する補助ハウジング;前記補助ハウジングの開放孔を遮断してこの補助ハウジングの内部と外部空間を区画するための開閉板;前記開閉板の中央部に配置され、その両端部が補助ハウジングの両側壁を貫通する回転軸;及び前記補助ハウジングの外部に露出された回転軸の両端部に結合され、回転操作により前記開閉板を軸回転させて遮断されている補助ハウジングの内部のエアファンと外部の空間部を連通させるノブを含んで成ることが好ましい。
【００１８】
また、本発明によるエア供給装置において、前記開閉板は開放孔の幅方向に沿って連続配置され、各々個別的に回転操作されてハウジングの幅方向に対するエア発生量を調節できるように複数個が設けられることが好ましい。
【００１９】
また、本発明によるエア供給装置において、前記ハウジングの下端両側かどは長手方向の全体にわたって直角となる直角構造になることが好ましい。
【００２０】
また、本発明によるエア供給装置において、前記ハウジングの下端両側かどは長手方向の全体にわたって所定角度で傾斜する直傾斜面構造と成ることが好ましい。
【００２１】
また、本発明によるエア供給装置において、前記ハウジングの下端両側かどは長手方向の全体にわたって一定曲率でラウンドされた曲面構造から成ることが好ましい。
【発明の効果】
【００２２】
前述したように、本発明によるエア供給装置は、ハウジングの内部空間を長手方向に対して多くの空間に区画するエア区画部と、エアファンとフィルターとの間を区画するエア吐出調節部及びエアファン自体のエア発生量をハウジングの幅方向に対して調節するエア発生調節部を設けて、各区画空間ごとにエアが発生されるようにし、発生されたエアは各区画空間別にならして上向吐出されるようにするとか、又は、特定の区画空間からのエア吐出を遮断させることの代わりに隣接する他の区画空間にエア量を増加させて吐出させることができ、また、ハウジングの幅方向に対するエア発生方向を調節することができるようにすることによって、一例で、板ガラス搬送装置の場合、カバーの上方の位置し水平方向に沿って搬送される薄い平板プレート構造の板ガラスの所望部分に対してエア供給が調節自在になって搬送中の板ガラスに対する平坦度を一定に維持することができ、これによって正確且つ安定的な板ガラスの搬送が可能になる等の効果が得られる。
【発明を実施するための形態】
【００２３】
以下、添付の図面に基づいて本発明を詳しく説明する。
【００２４】
図１乃至図１２に示すように、本発明のエア供給装置は内部が空き、上方が開放されたハウジング１０と、このハウジング１０の内部底面に設けられるエアファン２０と、このエアファン２０の上方のハウジング１０の開放された上方に配置されるフィルター３０及びこのフィルター３０の上面に密着されてハウジングの上方を覆い、表面にエア吐出孔４１が形成されたカバー４０を含んで成る。
【００２５】
前記ハウジング１０は、長手方向に沿って長く伸びる(好ましくは、板ガラス搬送装置等の作業台の長手方向の全体に対応する長さ)上方が開放された長方形の四角箱状から成る。
【００２６】
前記エアファン２０のハウジング１０の内部底面に設けられてエアを吐出させる、いわゆるローラーファン構造から成る。
【００２７】
前記フィルター３０は、エアファン２０上方のハウジング１０の開放された上方に配置される四角ブロック状であって、吐出されるエアに含んでいる異物を除去するとか、または、エア吐出の強さをどのぐらい緩和させる等の機能を有する。
【００２８】
前記カバー４０は、フィルター３０の上面に密着されてハウジングの上方を覆い、表面に斜線方向に形成された複数個のエア吐出孔４１が設けられる。
【００２９】
このような構造を有する本発明のエア供給装置に関するいろいろな形態別の実施形態は次のようである。
【００３０】
図１乃至図３に示すように、第１の実施形態は前記エアファン２０がハウジング１０の長手方向に沿って一定間隔(など間隔)を置いて複数個が設けられ、これらの各々のエアファン２０を区画させるためにエアファン２０の間のハウジング１０内部に複数のエア区画部５０が設けられている。
【００３１】
ここで、前記エア区画部５０が設けられるハウジング１０の一側壁面に貫通孔１１が形成され、前記エア区画部５０はハウジング１０の該当内部空間を区画する四角板状の区画板５１と、この区画板５１の一端部に連結され、前記貫通孔１１の外部に露出されてハウジング１０の外側壁面に密着された状態で別の締結具５２によってハウジング１０に固定される固定板５３から成る英文字Ｔの構造から成る。
【００３２】
このような構成による本発明の第１の実施形態であるエア供給装置は、各区画空間別に発生される同一なエア吐出量が固定設置されているエア区画部５０を境界にしてすぐに上向吐出されて上方に配置されたカバー４０のエア吐出孔４１を通じて外部に吐出されて板ガラス等をエア浮上させるようにする。
【００３３】
一方、前記第１の実施形態では、エア区画部５０を除去して隣接する空間部と連通されるようにすることができ、この時、エア区画部５０が除去された状態のハウジング１０の貫通孔１１は別の密閉板５５で密閉させることができる。
【００３４】
図４及び図５に示すように、第２の実施形態は第１の実施形態でエア区画部６０だけが変形された構造を示す。
【００３５】
前記エア区画部６０は、前記ハウジング１０の該当内部空間を区画する四角板状の区画板６１と、この区画板６１の上下方向の中央部に配置され、その両端部がハウジング１０の両側壁を貫通する長い棒状の回転軸６２及び前記ハウジング１０の外部に露出された回転軸６２の両端部に結合され、回転操作により前記区画板６１を軸回転させて区画されているハウジング１０の両側空間部を連通させる取っ手の機能を有するノブ６３を含む構造から成る。
【００３６】
このような構造による本発明の第２の実施形態であるエア供給装置は各区画空間別に発生される同一なエア吐出量がエア区画部６０を境界にしてすぐに上向吐出されて上方に配置されたカバー４０のエア吐出孔４１を通じて外部に吐出されて板ガラス等をエア浮上させることができ、または、必要な部分にエア供給量を調節するためにノブ６３の回転操作により隣接する区画空間同士、互いに連通させてエアを共有することができることは勿論、区画板６１の傾斜を調節して共有されるエア量を調節することもできる。
【００３７】
図６乃至図８に示すように、第３の実施形態は、第２の実施形態で前記エアファン２０とフィルター３０との間のハウジング１０の内部空間にエアファン２０から発生されるエアがフィルター３０に吐出及び吐出遮断されるように調節するためのエア吐出調節部７０がさらに追加された構造を示す。
【００３８】
前記エア吐出調節部７０は、前記エアファン２０とフィルター３０との間のハウジング１０の該当内部空間を区画するためにハウジング１０の長手方向に沿って 連続配置される複数の四角板状の補助区画板７１と、この各補助区画板７１の上下方向の中央部に配置され、その両端部がハウジング１０の両側壁を貫通する長い棒状の回転軸７２及び前記ハウジング１０の外部に露出された回転軸７２の両端部に結合され、回転操作により前記各々の補助区画板７１を軸回転させて区画されているハウジング１０のエアファン２０とフィルター３０との間の空間部を連通させる取っ手の機能を有するノブ７３を含む構造からなる。
【００３９】
ここで、前記補助区画板７１の幅方向の長さは、エアファン２０とフィルター３０との間を密閉させるために水平に置かれるように回転させた時、隣接する他の補助区画板７１の板面と互いに上下に重ねるようにする長さを有することが好ましい。
【００４０】
このような構成による本発明の第３の実施形態のエア供給装置は、各区画空間別に発生される同一なエア吐出量がエア区画部６０を境界にしてすぐに上向吐出されて上方に配置されたカバー４０のエア吐出孔４１を通じて外部に吐出されて板ガラス等をエア浮上させることができ、または、必要な部分にエア供給量を調節するために該当補助区画板７１のノブ７３を回転操作して、隣接する他の区画空間にエアの方向を転換させた後、互いに連通させてエア量を共有させることができる同時に該当補助区画板７１の傾斜を調節してエアが傾けられた補助区画板６１の傾斜面に沿って流れることができるようにしてエアの流れに方向性を有するようにすることもできる。
【００４１】
図９乃至図１２に示すように、第４の実施形態は第３の実施形態のエア区画部６０の構成は削除され、エア吐出調節部７０だけが具備された状態で再び前記エアファン２０を覆ってエアファン２０自体のエア発生量を調節するためのエア発生調節部８０がさらに備える構造を示す。
【００４２】
ここで、前記エア発生調節部８０は、前記エアファン２０の外部を覆い、上方が開放された開放孔８１aを有する四角箱状の補助ハウジング８１と、この補助ハウジング８１の開放孔８１aを遮断してこの補助ハウジング８１の内部と外部空間を区画するための四角板状の開閉板８２と、この開閉板８２の中央部に配置され、その両端部が補助ハウジング８１の両側壁を貫通する長い棒状の回転軸８３及び前記補助ハウジング８１の外部に露出された回転軸８３の両端部に結合され、回転操作により前記開閉板８２を軸回転させて遮断されている補助ハウジング８１の内部のエアファン２０と外部の空間部を連通させる取っ手の機能を有するノブ８４を含む構造から成る。
【００４３】
そして、前記開閉板８２は、開放孔８１aの幅方向に沿って連続配置され、各々個別的に回転操作されてハウジング１０の幅方向に対するエア発生量を調節できるように複数個が設けられる。
【００４４】
このような構成による本発明の第４の実施形態のエア供給装置は、各々のエア吐出調節部７０を直立開放させてエアファン２０で発生されるエアがすぐに上向吐出されて上方に配置されたカバー４０のエア吐出孔４１を通じて外部に吐出されて板ガラス等をエア浮上させることができ、該当エアファン２０に対する開閉板８２を閉鎖させてエア発生が遮断されるようにしてこの部分に対するエア吐出が遮断されるようにすることができ、または、必要な部分にエア供給量を調節するために該当補助区画板７１のノブ７３を回転操作して隣接する他の区画空間にエアの方向を転換させた後、互いに連通させてエア量を共有させることができる同時に、該当補助区画板７１の傾斜を調節してエアが傾けられた補助区画板６１の傾斜面に沿って流れることができるようにして、長手方向に沿うエアの流れに方向性を有するようにすることができ、これとともに、開閉板８２の開放傾斜も調節して幅方向へのエア吐出の方向性もともに調節して複合的なエア吐出が可能であるようにすることもできる。
【００４５】
このように、本発明の多様な実施例を有するエア供給装置を板ガラス搬送装置、または、クリーントンネルユニットなどに設置して板ガラス等の両側部が下方に下がる平坦性の不均衡を是正して、正確且つ安定的に搬送させることができる。
【００４６】
図１３は、本発明のエア供給装置が板ガラス搬送装置に適用された状態を示し、図１4は、本発明のエア供給装置がクリーントンネルユニットに適用された状態を示す。
【００４７】
一方、図１５及び図１６は本発明のエア供給装置中、ハウジング１０の他の実施例を示し、前記ハウジング１０の下端両側かどを長手方向の全体にわたって所定角度が傾斜する直傾斜面１２の構造とすることができ、または、前記ハウジング１０の下端両側かどが長手方向の全体にわたって一定曲率でラウンドされた曲面１３の構造となるようにすることもできる。ハウジング１０の下端を曲面１３の構造とすると、エアファン２０で発生されたエアが直傾斜面の構造により風向が変更される過程で摩擦が発生されることの代わりに、曲面に沿って自然に上方に吐出させることができる。
【００４８】
前述したように、本発明は前記の好ましい実施例で説明したが、このような実施例を従来の公知技術と単純に組合適用した変形例は勿論、本発明の特許請求の範囲と詳細な説明で本発明が属する技術分野の当業者が容易に変更して利用できるすべての技術は本発明の技術の範囲に含まれることは当然である。
【図面の簡単な説明】
【００４９】
【図１】本発明の第１の実施形態によるエア供給装置を示す分解斜視図である。
【図２】本発明の第１の実施形態によるエア供給装置のエア区画部を示す要部拡大斜視図である。
【図３】本発明の第１の実施形態によるエア供給装置の区画板が除去された後、密閉板が設置された状態を示す要部拡大斜視図である。
【図４】本発明の第２の実施形態によるエア供給装置を示す分解斜視図である。
【図５】本発明の第２の実施形態によるエア供給装置のエア区画部を示す要部拡大斜視図である。
【図６】本発明の第３の実施形態によるエア供給装置を示す分解斜視図である。
【図７】本発明の第３の実施形態によるエア供給装置のエア吐出調節部が開放された状態を示す概略図である。
【図８】本発明の第３の実施形態によるエア供給装置のエア吐出調節部が、一部は閉まり、一部はエア吐出の方向転換のために傾けられた状態を示す概略図である。
【図９】本発明の第４の実施形態によるエア供給装置を示す分解斜視図である。
【図１０】本発明の第４の実施形態によるエア供給装置のエア発生調節部を示す要分概略図である。
【図１１】本発明の第４の実施形態によるエア供給装置のエア吐出調節部が開放された状態を示す概略図である。
【図１２】本発明の第４の実施形態によるエア供給装置のエア吐出調節部が、一部は閉まり、一部はエア吐出の方向転換のために傾けられた状態を示す概略図である。
【図１３】本発明によるエア供給装置が板ガラス搬送装置に適用された状態を示す概略斜視図である。
【図１４】本発明によるエア供給装置がクリーントンネルユニットに適用された状態を示す概略斜視図である。
【図１５】本発明のエア供給装置中でハウジングの他の実施形態を示す概略斜視図である。
【図１６】本発明のエア供給装置中でハウジングの他の実施形態を示す概略斜視図である。
【符号の説明】
【００５０】
１０ : ハウジング           １１ : 貫通孔
１２ : 直傾斜面             １３ : 曲面
２０ : エアファン           ３０ : フィルター
４０ : カバー               ４１ : エア吐出孔
５０ : エア区画部           ５１ : 区画板
５２ : 締結具               ５３ : 固定板
５５ : 密閉板               ６０ : エア区画部
６１ : 区画板               ６２ : 回転軸
６３ : ノブ                 ７０ : エア吐出調節部
７１ : 補助区画板           ７２ : 回転軸
７３ : ノブ                 ８０ : エア発生調節部
８１ : 補助ハウジング       ８１a : 開放孔
８２ : 開閉板               ８３ : 回転軸
８４ : ノブ
【図１】
0005615164.tif 000002
【図２】
0005615164.tif 000003
【図３】
0005615164.tif 000004
【図４】
0005615164.tif 000005
【図５】
0005615164.tif 000006
【図６】
0005615164.tif 000007
【図７】
0005615164.tif 000008
【図８】
0005615164.tif 000009
【図９】
0005615164.tif 000010
【図１０】
0005615164.tif 000011
【図１１】
0005615164.tif 000012
【図１２】
0005615164.tif 000013
【図１３】
0005615164.tif 000014
【図１４】
0005615164.tif 000015
【図１５】
0005615164.tif 000016
【図１６】
0005615164.tif 000017